(57)【要約】  本発明は、ユーザ端末（6）により問い合わされるための、少なくとも１つのデータネットワーク（4）、具体的にはインターネットから事前選択された情報を提供する方法及びコンピュータ装置（1）に関し、データネットワーク（4）における選択されたサプライヤにより提供される特定のデータソース（3）、具体的にはウェブサイトが問い合わされ、これらのデータソース（3）の特定のコンテンツが記憶され、前記コンテンツは、サプライヤからの所望の製品、サービス若しくは情報に関する検索語の入力又は選択により問い合わされ、端末（6）を介して出力されることができる。データソース（3）の前記コンテンツに対するデータベース（5）に加えて、端末（6）を介して入力されるユーザ固有データを記憶するデータベース（7）が、設けられることができる。加えて、統計データを記憶するデータベース（8）が、設けられることができる。端末（6）とコンピュータ装置（1）との間の接続（9）を安全にするために、転送される前記情報の暗号化及び解読のための装置（10）が、設けられることができる。本発明による前記方法及びコンピュータ装置（1）は、多数のデータソース（3）から端末（6）のユーザに対して特定のデータを提供し、このように、データネットワーク（4）、具体的にはインターネットにおける特定の製品、サービス又は情報の発見を容易化する。
2005509209.tif 000002
【特許請求の範囲】
【請求項１】
ユーザ端末により問い合わせるための、少なくとも１つのデータネットワーク、より具体的にはインターネットから事前選択された情報を提供する方法であって、前記データネットワークにおける選択されたサプライヤにより提供される特定のデータソース、より具体的にはウェブサイトが問い合わされ、これらのデータソースの特定のコンテンツが記憶され、前記コンテンツが、サプライヤからの所望の製品、サービス若しくは情報に関する検索語の入力又は選択により前記端末を介して問い合わされ、及び出力されることができる方法。
【請求項２】
前記選択されたデータソースが定期的に問い合わされる、請求項１に記載の方法。
【請求項３】
ユーザ固有データが、前記端末を介して前記データソースの前記コンテンツに加えて入力及び記憶されることができる、請求項１に記載の方法。
【請求項４】
前記データソースの前記記憶されたコンテンツが、選択された基準により分類及びソート又は選択される、請求項１に記載の方法。
【請求項５】
特定のデータソースのユーザ固有選択が記憶される、請求項１に記載の方法。
【請求項６】
統計データが記憶される、請求項１に記載の方法。
【請求項７】
ユーザ固有データが、ユーザとデータソースとの間の対話に対して使用される、請求項１に記載の方法。
【請求項８】
ユーザ固有データが、入力されたデータと結合される、請求項１に記載の方法。
【請求項９】
ユーザとデータベースとの間の対話が、ハイパーテキスト転送プロトコル（ＨＴＴＰ）又はシンプル・オブジェクト・アクセス・プロトコル（ＳＯＡＰ）を介して行われ、転送される文書が拡張マークアップ言語（ＸＭＬ）規格に対応する、請求項１に記載の方法。
【請求項１０】
ユーザとデータベースとの間の対話が、ハイパーテキスト転送プロトコル（ＨＴＴＰ）又はシンプル・オブジェクト・アクセス・プロトコル（ＳＯＡＰ）を介して行われ、転送される文書が拡張マークアップ言語（ＸＭＬ）規格又はハイパーテキスト・マークアップ言語（ＨＴＭＬ）規格に対応する、請求項１に記載の方法。
【請求項１１】
ユーザ端末により問い合わせるための、少なくとも１つのデータネットワーク、より具体的にはインターネットからの事前選択された情報の提供のためのコンピュータ装置であり、前記データネットワークとの接続及び前記端末との接続を持ち、且つ前記データネットワークにおける選択されたサプライヤにより提供される特定のデータソース、具体的にはウェブサイトのコンテンツを記憶するデータベースを持つコンピュータ装置であって、前記端末が入力手段及び出力手段を持ち、前記コンテンツが、前記端末の前記入力手段を介してサプライヤからの所望の製品、サービス若しくは情報に関する検索語の入力又は選択を経て問い合わされ、前記端末の前記出力手段を介して出力されることができるコンピュータ装置。
【請求項１２】
前記端末のユーザの身元を確認する身元確認手段が設けられる、請求項１１に記載のコンピュータ装置。
【請求項１３】
前記端末との前記接続を暗号化及び解読する暗号化及び解読手段が設けられる、請求項１１に記載のコンピュータ装置。
【請求項１４】
ユーザ固有データを記憶するデータベースが設けられる、請求項１１に記載のコンピュータ装置。
【請求項１５】
統計データを記憶するデータベースが設けられる、請求項１１に記載のコンピュータ装置。
【請求項１６】
前記記憶されたコンテンツをソート又は選択する手段が設けられる、請求項１１に記載のコンピュータ装置。
【請求項１７】
ユーザ固有データと選択されたコンテンツとを結合する手段が設けられ、また、前記結合されたデータをデータソースに移動する手段も設けられる、請求項１１に記載のコンピュータ装置。
【請求項１８】
前記端末との前記接続がケーブルレスである、請求項１１に記載のコンピュータ装置。
【請求項１９】
前記記憶されたコンテンツのフォーマットを変換する装置が設けられる、請求項１１に記載のコンピュータ装置。
【請求項２０】
前記端末が、前記データベースの選択されたコンテンツを記憶するデータベースを含む、請求項１１に記載のコンピュータ装置。
【請求項２１】
前記端末の前記入力手段が音声入力ユニットにより形成され、前記出力手段が音声出力ユニットにより形成される、請求項１１に記載のコンピュータ装置。
【請求項２２】
前記出力手段が、視覚的なディスプレイにより形成される、請求項１１に記載のコンピュータ装置。
【請求項２３】
デジタルコンピュータのメモリにロードされることができるコンピュータプログラムプロダクトであって、前記プロダクトが前記コンピュータ上で作動する場合に、請求項１ないし１０の何れか一項に記載の方法を実行するソフトウェアコードセクションを有するコンピュータプログラムプロダクト。
【請求項２４】
前記ソフトウェアコードセクションが、コンピュータ読取可能媒体に記憶される、請求項２３に記載のコンピュータプログラムプロダクト。
【発明の詳細な説明】
【技術分野】
【０００１】
本発明は、ユーザ端末により問い合わせるための少なくとも１つのデータネットワークから事前選択された情報を提供する方法に関する。用語“データネットワーク”は、具体的にはインターネットに関するが、イントラネット、電話回路網等のような様々な他のデータネットワークでもありうる。用語“端末”は、ユーザがそれにより前記ネットワーク又は前記ネットワークに含まれるデータソースと通信することができる様々な装置を意味する。これらは具体的には、対応するハードウェア及びソフトウェアによって前記データネットワークのコンテンツにアクセスを可能にする、いわゆるＣＥ（家庭用電化製品）装置である。より一層多くのテレビのような家庭用電気器具及びビデオレコーダ又はＤＶＤプレーヤのような付属品だけでなく、またデジタルカメラ、携帯電話、ファクス装置又は特殊な腕時計でさえ、今日では、データネットワーク、具体的にはインターネットとの通信設備を提供する。主に私的範囲において使用される装置と同様に、用語“端末”は、しかしながら、工業設備をも含む。
【０００２】
本発明は、更に、問い合わせるためのユーザ端末に対する、少なくとも１つのデータネットワーク、具体的にはインターネットから事前選択された情報を提供するコンピュータ装置に関する。
【０００３】
本発明は、更に、デジタルコンピュータのメモリにロードされることができ、ソフトウェアコードセクションを有するコンピュータプログラムプロダクトに関する。
【背景技術】
【０００４】
データネットワーク、具体的にはインターネットを介する最も多様なデータソースの世界的な接続のために、前記データネットワークを介して提供される情報量は、絶えず増加している。電子商取引において、提供される商品及びサービスの数は、絶えず増加し、従って、消費者にとって、豊富な提供される商品及びサービスから、彼に最も適したものを妥当な時間内に見つけることは一層難しくなるだろう。しかし、電子商取引の分野だけではなく、純粋な情報に対しても、豊富なありうるデータから最も適切な情報を選択することは一層難しくなるだろう。
【０００５】
インターネットにおいては、検索エンジンを使用して所望の情報を提供するデータソースについて検索するのは標準的である。特定の検索語が入力され、ウェブサイトとして知られるデータソースが、これらの検索語を使用して検索される。たいてい途方もなく長いヒットリストが見つかり、見つかったサイトのその後の選択を冗長な方法にするか、又は妥当な期間内には不可能にさえする。
【０００６】
更に、ＥＰＧ（電子番組ガイド）サーバは、テレビ又はラジオ放送の番組情報を含むデータソースについてインターネットを検索し、この番組情報を自身のデータベースに記憶することで知られている。例えばビデオレコーダのプログラミングを支援するために、前記ＥＰＧサーバのデータベースに存在する情報は、前記ビデオレコーダのメモリにロードされることができる。
【０００７】
国際出願WO
00/70521 A2は、パーソナルコンピュータからインターネット上の電子商取引を容易化する方法及び装置を記述する。この目的のために、キーボードは、インターネット上の特定のウェブサイトに割り当てられた余分なキーを持つ。これらのキーの１つが作動される場合、対応する表示プログラム、即ちインターネットブラウザが、自動的に起動され、対応するウェブサイトがロードされる。キー割り当ては、ユーザ固有データ又は人口統計データの連結が可能である会社により管理される。この方法において、ユーザは、時にはユーザ固有データ又は人口統計データに対して調整された特定のデータソース又はウェブサイトを提供される。前記方法は、前記ユーザにより所望された製品又は情報を含む別のデータソース又はウェブサイトの選択を提供しない。
【発明の開示】
【発明が解決しようとする課題】
【０００８】
従って、本発明は、目的として、ユーザの端末により問い合わせるための、少なくとも１つのデータネットワーク、具体的にはインターネットから事前選択された情報を提供する方法及びコンピュータ装置を考案しなければならず、それにより前記ユーザの希望に対応する前記データネットワークにおける様々なデータソースからの情報の選択が、前記ユーザに提供され、前記ユーザは、単に扱いやすい量の情報から選択することだけが必要である。前記方法及びコンピュータ装置は、実行された事前選択の拡張又は変更を可能にし、最大の使いやすさにより特徴付けられる。加えて、前記方法又はコンピュータユニットは、既知のユーザの希望に対応することができ、この故に、前記ユーザによる行動なしで、提供された情報のユーザ固有の事前選択を実行することができる。
【課題を解決するための手段】
【０００９】
この目的を達成するために、前記方法に関して、データネットワークにおける選択されたサプライヤにより提供された特定のデータソース、具体的にはウェブサイトが問い合わされ、これらのデータソースの特定のコンテンツが記憶され、前記コンテンツが、サプライヤからの所望の製品、サービス若しくは情報に関する検索語の入力又は選択の後に前記端末により問い合わされ、出力されることが提案される。これは、前記ユーザに対して、前記ユーザにより所望された製品、サービス又は情報を提供する前記データネットワークにおけるデータソースの冗長な及びしばしば難しい検索を避け、後者は、前記製品、サービス又は情報をより迅速に発見、取得、使用又は評価することができる。
【００１０】
前記方法は、しかしながら、サプライヤが彼らの製品、サービス又は情報をより目標を定めた仕方においてユーザに持っていくことも助ける。例えば、検索語“食事”及び“イタリアン”を入力した後、又は対応するように提供された検索語を選択した後に、前記ユーザは、前記ユーザの端末、例えばパーソナルコンピュータの付近にあるインターネット上の全てのピザサービスを提供されることができる。結果として、前記ユーザは、彼の地域における様々なピザサービスのインターネットアドレスを知る必要が無い。事前選択は、本方法により前記ユーザのために実行される。上述の方法のオペレータは、問い合わされた前記データネットワークにおける各データソース及びその記憶されたコンテンツを連続的に更新し、これにより前記ユーザが常に最新及び正確な情報を供給されることができる。
【００１１】
有利に前記選択されたデータソースは定期的に問い合わされ、これにより前記記憶された情報は、定期的に更新される。問い合わせの間隔は、提供される情報の必要性及び時事性に依存して、より短く又はより長くなることができる。データソースの検索は、好ましくは、データトラフィックが減少したとき、又は減少されたデータ転送コストが適用されたときに行われる。
【００１２】
もし前記データソースの前記コンテンツに加えて、ユーザ固有データが、前記端末を介して入力又は記憶されるならば、提供された情報の、より一層目標を定められた事前選択が、達成されることができる。上で与えられた前記ピザサービスの例において、前記ユーザのすぐ近所に位置するサプライヤのみが、自動的に選択される。
【００１３】
更に他のユーザ支援は、前記データソースの記憶されたコンテンツが事前選択された基準により分類及びソート又は選択されることで達成される。これらの基準は、前記ユーザにより彼の端末を介して入力されることができるか、又は前記ユーザ固有データのデータベース内に既に含まれているかの何れかである。既に上に与えられた例を使用して、前記ユーザの特定の嗜好は、前記データを分類及びソートするのに使用されることができ、これらは、前記ユーザに対してブロックにおいて明確に示される。
【００１４】
本発明の更に他の特徴的なフィーチャによると、特定のデータソースの前記ユーザ固有の選択が記憶される。この付加的な情報は、第1に今後の情報の選択の品質の増加に寄与することができ、第２に前記データネットワークにおける異なる情報のサプライヤに対して有用であることもできる。例えば、特定のサプライヤの情報に対するアクセスが記録されることができ、このことから結論が前記ユーザの特定の嗜好に関して引き出される。
【００１５】
好ましくは、統計データが、様々な解析又は料金若しくは割引の計算を容易化又は可能にするために記憶される。
【００１６】
ユーザとデータソースとの間の対話も、単純に記憶されたユーザ固有データの使用により支援されることができる。このように、インターネットでピザを注文する場合に、住所、電話番号又は好ましいサイズのような、単純に記憶された前記ユーザの個人データは、前記データソース、具体的にはインターネット上の前記ピザサービスのホームページに自動的に転送されることができ、これらは、もはや入力される必要が無く、このように時間が節約されることができる。
【００１７】
前記ユーザと前記データベースとの間の対話は、好ましくは、ハイパーテキスト転送プロトコル（ＨＴＴＰ）又はシンプル・オブジェクト・アクセス・プロトコル（ＳＯＡＰ）を使用して行われ、転送される文書は、好ましくは、拡張マークアップ言語（ＸＭＬ）規格に対応する。このフォーマットは、前記コンテンツと前記データのフォーマッティングとが、分離され、このように単純な表現が、小さな端末、例えば携帯電話又はパーム等においてでさえも容易に実施されることができることを特徴とする。
【００１８】
前記データベースと前記データネットワーク、具体的にはインターネットにおける前記データソースとの間の対話は、有利に、ハイパーテキスト転送プロトコル（ＨＴＴＰ）又はシンプル・オブジェクト・アクセス・プロトコル（ＳＯＡＰ）を使用して行われ、転送される文書は、好ましくは、ハイパーテキスト・マークアップ言語（ＨＴＭＬ）又は拡張マークアップ言語（ＸＭＬ）規格に対応する。これらは、インターネット上で一般に使用されるフォーマットである。また、関係している前記規格又はフォーマットを変換する装置又は方法も、提供されることができる。
【００１９】
本発明により目的を達成するためには、コンピュータ装置は、少なくとも１つのデータネットワーク、具体的にはインターネットから事前選択された情報を、前記ネットワーク上の選択されたサプライヤにより提供される特定のデータソース、具体的にはウェブサイトを問い合わせるためにユーザの端末に対して、前記データネットワークとの接続を用いて及び前記端末との接続を用いて提供するために使用され、前記端末は、入力手段及び出力手段を持ち、特定のコンテンツの記憶のためのデータベースを搭載され、前記コンテンツは、前記端末の入力手段を介して要求されたサプライヤからの製品、サービス若しくは情報に関する検索語の入力又は選択により問い合わされ、前記端末の出力手段において出力されることができる。最も単純な場合のこのようなコンピュータ装置は、前記データネットワークに接続されたコンピュータから構成される。また、コンピュータのグループが、事前選択された情報を提供するために使用されることもできる。
【００２０】
前記端末は、パーソナルコンピュータだけでなく、また関係した前記データネットワークとの接続を可能にする他の装置であることもできる。例えば、携帯電話だけでなく、またビデオレコーダ、ＤＶＤプレーヤ又はインターネット互換の腕時計若しくは電気器具でさえも、端末として働くことができる。前記入力手段は、キーパッド、音声入力又はその他であってもよい。前記出力手段は、視覚的ディスプレイ又は音声出力装置の何れかである。例えば携帯電話又はパーム上のキーを押すことにより、前記地域内の前記ピザサービスは、前記ディスプレイ上にリストされることができる。
【００２１】
ユーザ固有データの目標を定めた使用を可能にするために、身元確認手段が、前記端末の前記ユーザを身元確認するために設けられる。結果として、ユーザデータは、関係した前記ユーザに対して明確に割り当てられることができる。このように、また、全く同一の端末を介して様々なユーザを身元確認することも可能である。前記端末がただ１人のユーザにより使用される場合、身元確認は、例えば携帯電話の電話番号を介して自動的であることができる。
【００２２】
具体的にはユーザ固有データの機密の使用を保証するために、本発明の更に他のフィーチャによると、暗号化及び解読手段が、前記端末に対する接続の暗号化及び解読のために設けられる。現在の技術水準による様々な符号化及び復号化又は暗号化及び解読方法が、使用されることができる。
【００２３】
もしユーザ固有データを記憶するデータベースが設けられるならば、更に目標を定められた選択だけでなく、また前記コンピュータ装置により提供される情報の分類又はソートも行われることができる。加えて、前記データベースに記憶された前記ユーザ固有データは、他の目的のために使用されることができる。
【００２４】
更に、統計データを記憶するデータベースが設けられることができ、前記統計データは、第１に前記ユーザに対して、第２に前記コンピュータ装置のオペレータ及び様々なサプライヤに対して重要な情報を提供することができる。前記データソースの事前選択された情報の記憶のためのデータベースと、ユーザ固有データを記憶するデータベースと、統計データを記憶するデータベースとは、１つのデータベースに結合されることができる。
【００２５】
有利に、前記記憶されたコンテンツをソート又は選択する手段が設けられる。標準的に、ソフトウェアにより実施されるこれらの手段は、特定の基準により利用可能なデータベースをソート又は選択することができ、これにより前記ユーザは、より一層支援される。この仕方において、例えば様々なピザサービスは、食事の値段又は配達時間によりソートされることができる。
【００２６】
もし前記コンピュータ装置が、ユーザ固有データ及び選択されたコンテンツを結合する手段と、また、前記結合されたデータをデータソースに移動する手段とを含むならば、これは、更に前記ユーザの特定のデータソース、具体的にはインターネット上のウェブサイトとの対話を容易化する。この仕方において、例えば、前記ユーザの個人データを前記記憶されたピザサービスの情報と結合し、次いで前記対応するように結合された注文としてのデータ記録を前記ピザサービスのホームページに移動することが可能である。
【００２７】
前記端末と、前記コンピュータ装置又はデータネットワークとの間の接続は、有利に、ケーブルレスで行われ、これにより前記データネットワークとの有線接続を持つ必要がない。前記ケーブルレス接続は、例えば、携帯電話の無線リンクにより、又はデータネットワークのモデムを持つ端末の赤外線リンクにより形成されることができる。
【００２８】
前記記憶されたコンテンツの最適なフォーマットを提供するために、前記記憶されたコンテンツのフォーマットを変換する装置が、前記コンピュータ装置に、又は前記端末に設けられる。このように、前記提供されたコンテンツは、最適な仕方で前記端末上に出力されることができる。
【００２９】
前記端末において、前記コンピュータ装置の前記データベースの選択されたコンテンツを記憶するデータベースが設けられることができ、これにより前記要求された情報は、前記コンピュータ装置と前記端末との間のデータ転送に対する時間損失なしで、迅速に利用可能である。前記端末における前記データベースは、前記コンピュータ装置における前記データベースのコンテンツと循環的に比較され、適用可能な場合には上書きされる。
【００３０】
前記端末入力手段は、音声入力装置により形成されることもでき、適用可能な場合には前記出力手段が音声出力装置により形成されることもできる。これは、前記ユーザに対して前記操作をより一層容易化する。
【００３１】
前記音声出力の代わりに又はそれに加えて、視覚的ディスプレイが、前記端末の出力手段として働くことができる。
【００３２】
本発明により前記目的を達成するために、デジタルコンピュータのメモリにロードされることができ、ソフトウェアコードセクションを有するコンピュータプログラムプロダクトが使用され、前記コンピュータは、前記プロダクトが前記コンピュータ上で作動している場合に上述の方法の前記ステップを処理することができる。
【００３３】
前記コンピュータプログラムプロダクトの前記ソフトウェアコードセクションは、ここで好ましくは、コンピュータ読取可能媒体上に記憶される。
【００３４】
本発明は、図面において示される実施例を参照して更に記述されるであろうが、しかしながら、本発明はこれらに制限されない。
【発明を実施するための最良の形態】
【００３５】
図１は、データネットワークから事前選択された情報を提供する方法の原理的機能を概略的に示す。コンピュータ装置1は、データネットワーク4、具体的にはインターネットにおける様々なデータソース3を問い合わせる少なくとも１つのコンピュータ2を含み、データベース5においてこれらのデータソース3の所定のコンテンツを記憶する。データベース5は、特定の製品、サービス又は情報を提供する幾つかのデータソース3の所定のコンテンツを含む。端末6を介するサプライヤからの所望の製品、サービス若しくは情報に関する検索語の入力又は選択により、ユーザは、データネットワーク4における実際のデータソース3を知る必要なく、様々なデータソース3からの情報の選択を迅速に見つけることができる。本発明の更に他の利点は、端末6が計算力、復号能力又はデータソース3からの前記データの即時表示に対する能力に関する条件を満たす必要はないが、前記事前選択された情報を出力又は表示することができなければならないだけであることである。結果として、携帯電話又はパームのような端末6は、データネットワーク4におけるデータソース3との対話のために賢明に使用されることができる。
【００３６】
前記情報の前記事前選択の更に他の改良は、好ましくはデータベース7に記憶されるユーザ固有データを考慮に入れることにより達成されることができる。前記ユーザ固有データは、端末6を介した入力によりデータベース7に記憶される。これは、名前、住所、又は誕生日等のような個人データだけでなく、また特定のユーザの嗜好の情報であってもよい。ユーザ固有データは、例えば、たびたび訪問する製品、サービス又は情報のサプライヤを記録することにより自動的に検出され、データベース7に記憶されることもできる。更に、特定のデータソース3又はその他からの情報の選択頻度のような統計データ、並びに第一にコンピュータ装置1の管理者に対して、第二に様々な製品、サービス又は情報のサプライヤ及び前記データソースのオペレータに対して供給される重要な情報が記憶されるデータベース8が設けられる。データベース8に記憶される前記統計データは、データソース3の前記オペレータにより、コンピュータ装置1の使用に対して代価を請求するため、割引をするため、又は購入を促すために使用されることもできる。端末6とコンピュータ装置1との間の接続9を安全にするために、端末6とコンピュータ装置1との両方において、前記情報の暗号化及び解読のための装置10が設けられることができる。端末6とコンピュータ装置1との間の接続は、携帯電話ネットワーク、例えばインターネットのようなデータネットワーク、又は有線若しくはケーブルレス接続により形成されることもできる。
【００３７】
図２は、インターネット4を介した端末6によるピザ又はその他の注文の検討下で前記方法の応用を示す。コンピュータ装置1のデータベース5に、例えば様々なデータソース3、この場合にはインターネット4上の様々なピザサービスからの情報が記憶される。この目的のために、方法ステップIにより、データソース3からの対応するデータは、インターネット4を介してコンピュータ装置1のデータベース5に記憶される。端末6、例えばパーソナルコンピュータだけでなく、またテレビ、携帯電話、その他を介して、前記ユーザは、コンピュータ装置1により供給される情報を見ることができる。この目的のために、前記ユーザは、端末6を介してサプライヤからの所望の製品又はサービスに関する検索語を入力する。前記ユーザが端末6を介して検索語を入力する代わりに、コンピュータ装置1が、選択されるべきありうる検索語、製品、サービス又は情報のリストを提供し、端末6の前記ディスプレイ上にこれを示すこともできる。前記情報は、関係した前記ユーザと関連したデータソース3の前記データを有する。前記ユーザは、例えば、彼のすぐ近所における前記ピザサービスのみを提供される。この場合、前記ユーザは、コンピュータ装置1における方法ステップIIにより彼の検索の目標を定めることができ、ここでコンピュータ装置1により提供されデータベース5に記憶された前記情報は、選択、分類又はソートされ、端末6の前記ディスプレイ上に表示されることができる（方法ステップIII）。次の方法ステッIVにおいて、前記ユーザは、端末6を介して特定の製品、この場合には特定のピザ又はその他を選択する。前記注文は、コンピュータ装置1のデータベース7に既に配置されることができるユーザ固有データを用いて補われ、コンピュータ装置1に転送される（方法ステップV）。
【００３８】
方法ステップVIにより、コンピュータ装置1は、データベース5に記憶された情報から、どのピザサービスが、前記選択されたピザをどれぐらいの配達時間で、及びどんな価格で提供するのか決定する。前記選択された情報を持つリストは、方法ステップVIにおいて前記端末に転送される。方法ステップVIIにおいて、前記ユーザは、提供された前記ピザサービスの１つを選択し、端末6は、前記選択をコンピュータ装置1に伝送する。前記注文の確認後、これは、ステップVIIIにおいて、選択されたデータソース3又はインターネット4上のウェブサイトに転送され、ここで対応する前記ピザ又はその他に対する前記注文が終わる。いかなる場合でも、前記ピザサービスは、依然として、従来の仕方において電話により前記ユーザから前記注文を確認するであろう。この場合には、前記ユーザは、様々なピザサービスのインターネットアドレスの知識を持つ必要はないが、単にコンピュータユニット1との接続を持ち、彼の希望を表出するか、又はそこで要求される製品を選択しなければならないだけである。コンピュータ装置1は、データネットワーク4、具体的にはインターネットにおいて対応するデータソース3を前記ユーザのために検索する時間のかかる仕事を実行する。加えて、データベース5に記憶される情報は、特定の基準によりソート又は選択されることができる。データベース7に記憶されたユーザ固有情報、又は前記ユーザにより端末6により行われた入力は、前記データのソート又は選択のために使用されることができる。例えば前記配達時間に対する上限を入力することにより、ありうるピザサービスの更に他の選択が行われることができ、前記ユーザの選択は、このように容易化される。
【００３９】
ピザの注文の例から離れて、幅広く異なる応用が可能であり、例えば特定のイベント、特定の町の宿泊設備、輸送の接続又は更に多くのことを探すことができる。
【００４０】
本発明による前記コンピュータ装置を用いて、これもまた本発明によるビジネスを行う方法の実施が可能であることが、記載されてもよい。前記コンピュータ装置は、この場合、ほぼ同じ配達住所を持つ端末から注文を集めることができる。このような注文を用いて、前記配達住所は、例えば同じ住宅用の建物又は隣接した住宅用の建物であるだろう。このような注文に対して、前記コンピュータ装置が自動的に、又は前記コンピュータ装置のオペレータが、付加的な割引を前記注文された製品の価格に適用することができ、これにより末端顧客は、前記コンピュータ装置を使用することにより、有利に、前記注文された製品に対して、より低い価格だけを支払う必要がある。
【００４１】
本発明による前記コンピュータ装置を用いて、本発明によるビジネスを行う更に他の方法の実施が可能にされることが、記載されてもよい。前記データネットワークに接続された前記データソースの１つを管理する製品又はサービスのサプライヤが、前記コンピュータ装置の前記オペレータに対して宣伝費を支払う場合、前記ビジネスを行う方法によると、このサプライヤの前記製品は、手続きステップVIにおいて、前記末端顧客に対して、前記所望の製品のありうるサプライヤの前記リストにおける一番目に示される。これは、このサプライヤに彼の製品が注文される、より大きなチャンスを与える。
【００４２】
前記末端顧客による前記注文の確認後でさえも、前記コンピュータ装置が、配達状況（製品が、作られた、梱包された、配達中又は配達された）を確認し、また大いに有利でもある情報を伝送することができることが、記載されてもよい。
【図面の簡単な説明】
【００４３】
【図１】データネットワークから事前選択された情報を提供する方法の機能を概略的に示す。
【図２】インターネットによるピザ等の注文における前記方法の使用に対する例を示す。
【図１】
2005509209.tif 000003
【図２】
2005509209.tif 000004
【国際調査報告】
2005509209.tif 000005
2005509209.tif 000006
2005509209.tif 000007